(57)【要約】【課題】道具箱としても学校での引出しとしても使用することができる兼用箱を供すること、持ち運びに際し、撓みが防止されること。【解決手段】底ケーシング部材１の一側面に起伏自在の把手１５が設けられる。蓋ケーシング部材３の側面の中央部に連結部３３が形成され、該連結部の両側に切欠部３５が形成される。道具箱使用連結態様のとき、把手１５を設ける把手ボス部１３が切欠部３５に嵌合され、連結部３３が把手１５と該把手が設けられる側面１２との間に挿入される。把手が底ケーシング部材に設けられているため、把手に重量が集中して負荷されても、該底ケーシング部材が把手の下支えとなる。引出し使用連結態様のとき、連結部３３が把手と把手が設けられる側面１２との間に挿入されるので、底ケーシング部材と蓋ケーシング部材の連結が一体化し、１回の動作で各ケーシング部材を引き出すことができる。【選択図】図４
2015020751.tif 000002
【特許請求の範囲】
【請求項１】
開放面を有する箱状の底ケーシング部材と開放面を有する箱状の蓋ケーシング部材とからなり、閉蓋時に密閉の箱体が形成される道具箱であって、
上記底ケーシング部材の一側面に起伏自在の把手が設けられ、
上記蓋ケーシング部材の側面の中央部に連結部が形成され、該連結部の両側に切欠部が形成され、
各ケーシング部材が開放面を対向させて垂直方向に重ね合わされる道具箱使用連結態様のとき、上記把手を設ける把手ボス部が上記切欠部に嵌合され、上記連結部が上記把手と該把手が設けられる側面との間に挿入され、
各ケーシング部材が開放面を露出した状態で水平方向に連結される引出し使用連結態様のとき、上記連結部が上記把手と該把手が設けられる側面との間に挿入されることを特徴とする兼用箱。
【請求項２】
請求項１記載の兼用箱において、上記連結部及び上記切欠部が上記蓋ケーシング部材の一側面に設けられることを特徴とする兼用箱。
【請求項３】
請求項１記載の兼用箱において、上記連結部及び上記切欠部が上記蓋ケーシング部材の対向する側面に設けられることを特徴とする兼用箱。
【請求項４】
請求項１乃至請求項３のいずれか一に記載の兼用箱において、上記連結部が板状であることを特徴とする兼用箱。
【請求項５】
請求項１記載の兼用箱において、上記底ケーシング部材の側面の内側に複数のリブが設けられることを特徴とする兼用箱。
【請求項６】
請求項５記載の兼用箱において、上記リブは一対の線状に形成され、隣接するリブ間に挟持スペースを形成してなり、該挟持スペースに仕切板が着脱自在に挿入可能であることを特徴とする兼用箱。
【発明の詳細な説明】
【技術分野】
【０００１】
本願発明は道具箱と机に収容される引出しを兼用することができる兼用箱に関する。
【背景技術】
【０００２】
学校教育の現場、例えば小学校では、各種の道具例えば、鉛筆、消しゴム等の入った筆箱、定規、コンパス、はさみ、糊、虫眼鏡、計数器を用いることが多い。これらの道具類は学校では机の中に収容されるが、家庭での復習などのため持ち帰ることが望まれている。
【０００３】
このため、従来においては、学校使用用の引出しと持帰り用の道具箱の２種類を用意しなければならないことが多く、経済的な負担だけでなく、子供ユーザに詰め換えの負担をかけていた。
【０００４】
また、詰め換えられ空になった道具箱の置きスペースなどに不便があった。
【０００５】
さらに、道具箱を持ち運ぶ際、把手を設置する部分が撓み、道具箱の使用が困難となることがあった。
【０００６】
そこで、特許文献１のような道具箱が提案された。
【０００７】
しかし、特許文献１のような道具箱は各ケースが分離しているため、引出しとして使用するときも子供ユーザが１回で引き出すことができず、各ケースをばらばらに引き出さなければならない。
【０００８】
この種道具箱のユーザは主として小学校の児童であるため、授業中先生の指示で特定の道具を捜さなければならないとき、ばらばらに引き出すことにより、目的物が見付からないとパニックになって、授業に集中できないことがあった。子供ユーザには引出しの中のすべてを見渡すことにより、目的物を見付けることの方がはるかに便利であり効率的なのである。
【先行技術文献】
【特許文献】
【０００９】
【特許文献１】実用新案登録第３１３００３７号公報
【発明の概要】
【発明が解決しようとする課題】
【００１０】
本願発明は上記背景に鑑み、道具箱としても学校での引出しとしても使用することができる兼用箱を供すること、持ち運びに際し、撓みが防止されることを目的とする。
【００１１】
また引出しとして使用する際、１回の動作で引き出すことにより、すべての収納物を見渡すことができ、目的物を簡単、迅速に見付けることができることを目的とする。
【課題を解決するための手段】
【００１２】
上記目的達成のため、本願発明による兼用箱は、開放面を有する箱状の底ケーシング部材と開放面を有する箱状の蓋ケーシング部材とからなり、閉蓋時に密閉の箱体が形成される道具箱であって、
上記底ケーシング部材の一側面に起伏自在の把手が設けられ、
上記蓋ケーシング部材の側面の中央部に連結部が形成され、該連結部の両側に切欠部が形成され、
各ケーシング部材が開放面を対向させて垂直方向に重ね合わされる道具箱使用連結態様のとき、上記把手を設ける把手ボス部が上記切欠部に嵌合され、上記連結部が上記把手と該把手が設けられる側面との間に挿入され、
各ケーシング部材が開放面を露出した状態で水平方向に連結される引出し使用連結態様のとき、上記連結部が上記把手と該把手が設けられる側面との間に挿入されることを特徴とする。
また、請求項１記載の兼用箱において、上記連結部及び上記切欠部が上記蓋ケーシング部材の一側面に設けられることを特徴とする。
また、請求項１記載の兼用箱において、上記連結部及び上記切欠部が上記蓋ケーシング部材の対向する側面に設けられることを特徴とする。
また、請求項１乃至請求項３のいずれか一に記載の兼用箱において、上記連結部が板状であることを特徴とする。
また、請求項１記載の兼用箱において、上記底ケーシング部材の側面の内側に複数のリブが設けられることを特徴とする。
また、請求項５記載の兼用箱において、上記リブは一対の線状に形成され、隣接するリブ間に挟持スペースを形成してなり、該挟持スペースに仕切板が着脱自在に挿入可能であることを特徴とする。
【発明の効果】
【００１３】
本願発明による兼用箱によれば、道具箱としても引出しとしても使用することができる。
【００１４】
道具箱として使用されるとき、即ち、底ケーシング部材と蓋ケーシング部材とが垂直方向に連結される道具箱使用連結態様において、底ケーシング部材には道具が収納され道具重量がかかる。道具箱を持ち運ぶ際、把手は底ケーシング部材に設けられているため、把手に重量が集中して負荷されても、該底ケーシング部材が把手の下支えとなる。また切欠部があることにより、外側から被せられる蓋ケーシング部材には道具重量がかからない。
【００１５】
よって、道具重量によるケースの撓みが防止される。
【００１６】
引出しとして使用されるとき、即ち、底ケーシング部材と蓋ケーシング部材とが水平方向に連結される引出し使用連結態様において、蓋ケーシング部材の連結部は把手と該把手が設けられる底ケーシング部材の側面の間に挿入されるとともに、底ケーシング部材の把手ボス部が蓋ケーシング部材の切欠部に嵌合される。よって、底ケーシング部材と蓋ケーシング部材の連結が一体化し、１回の動作で各ケーシング部材を引き出すことができる。よって子供ユーザに引出し収納物を一覧開示させることが可能となり、目的物を簡単、迅速に見付けることができる。
【００１７】
本願発明によれば、道具箱と引出しの兼用が可能になるので、道具箱に詰め込んだ道具類を引出しに詰め直す手間を省くことができる。また、把手が起伏自在であり、道具箱使用時には持ち手となり、非使用時は収納される効果があり、引出し使用時の連結部となる場合、挿入が容易となる効果がある。
【図面の簡単な説明】
【００１８】
【図１】（Ａ）は本願発明による兼用箱の実施の形態を示し、道具箱使用時の正面図、（Ｂ）は（Ａ）の平面図、（Ｃ）は（Ａ）の底面図、（Ｄ）は（Ａ）の右側面図である。
【図２】道具箱使用時の斜視図である。
【図３】（Ａ）は図１の引出し使用時の正面図、（Ｂ）は（Ａ）の平面図、（Ｃ）は（Ａ）の右側面図である。
【図４】引出し使用時の斜視図である。
【発明を実施するための形態】
【００１９】
次に、実施の形態を示す図面に基づき本願発明による兼用箱をさらに詳しく説明する。なお、便宜上同一の機能を奏する部分には同一の符号を付してその説明を省略する。
【００２０】
１はプラスチック製の底ケーシング部材であり、上面が開放された箱状のケース１１からなる。３は上記底ケーシング部材１と同一プラスチック製の蓋ケーシング部材であり、上面が開放された箱状のケース３１からなる。
【００２１】
上記底ケーシング部材１の長手方向一側面１２には一対の把手ボス部１３が突設され、該把手ボス部１３に可撓性の把手１５が起伏自在に設けられる。上記側面１２に直交する方向の両側面１６ａ、１６ｂの中央部には凹部１７が形成され、該凹部１７の両端部にストッパ３９が嵌合される一対のストッパ受け１９が突設される。上記底ケーシング部材１の長手方向側面１２、１４の対向する内面には、複数個（本実施例では５個）のリブ２１が設けられる。該リブ２１は、２本の併行線状に形成され、隣接するリブ２１に挟持スペース２３が形成される。該挟持スペース２３に仕切板５が着脱自在に挿入される。該仕切板５は上記底ケーシング部材１と同一プラスチック製の板状体からなる。
【００２２】
上記蓋ケーシング部材３は、長手方向の側面３２、３２の中央部に連結部３３が形成され、該連結部３３の両側に切欠部３５が形成される。該連結部３３は上記側面３２、３２を切欠した残部からなり、開放面方向に突設される。上記切欠部３５は上記把手ボス部１３が嵌合される程度の大きさに形成される。上記側面３２、３２に直交する方向の両側面３６ａ、３６ｂの中央部には凹部３７が形成され、該凹部３７に回動自在のストッパ３９が設けられる。該ストッパ３９は上記したストッパ受け１９に嵌合される。
【００２３】
上記底ケーシング部材１及び蓋ケーシング部材３は互いに分離可能であるが、使用時には連結される。連結態様には、底ケーシング部材１と蓋ケーシング部材３とを垂直方向に連結し道具箱して使用する「道具箱使用連結態様」と、底ケーシング部材１と蓋ケーシング部材３とを水平方向に連結し引出しして使用する「引出し使用連結態様」とがある。
【００２４】
図１及び図２は持ち運び可能な道具箱としての連結態様を示す。把手１５は、道具が収納され道具重量がかかる底ケーシング部材１に設けられているため、底ケーシング部材１が把手１５の下支えとなる。また蓋ケーシング部材３は底ケーシング部材１の外側から被せられるため、道具重量がかからない。よって、道具重量によるケースの撓みが防止される。
【００２５】
換言すれば、道具箱として使用するとき、連結部３３は把手１５の内側つまり把手１５と該把手１５が設けられる側面１２の間に、開放面側から挿入される。つまり、把手１５が内側（底ケーシング部材１側）から起立するので、底ケーシング部材１が蓋ケーシング部材３により外側から抑制されるとともに、側面３２に切欠部３５のある蓋ケーシング部材３に負荷がかからないので、撓み防止となるのである。
【００２６】
本実施の形態においては、リブ２１が設けられており、このリブ２１に仕切板５が適宜方向、例えば図３及び図４に示すように仕切板５が縦方向及び横方向に設けられているため、収納物の重量分散を図ることができるので、持ち運びの際の撓み防止が一層向上する。
【００２７】
図３及び図４は学校の机の中に収容される引出しとして使用される場合の連結態様を示す。蓋ケーシング部材３の連結部３３は把手１５と底ケーシング部材１の側面１２の間に、下方面側から挿入されるとともに、底ケーシング部材１の把手ボス部１３が蓋ケーシング部材３の切欠部３５に嵌合される。これにより、底ケーシング部材１と蓋ケーシング部材３の連結が一体化し、１回の動作で各ケーシング部材を引き出すことができる。よって子供ユーザに引出し収納物を一覧開示させることが可能となり、目的物を簡単、迅速に見付けることができる。
【００２８】
本実施の形態においては連結部３３及び切欠部３５が蓋ケーシング部材３の対向側面３２、３２に一対設けられている。このため左右の方向性がなくなるので、子供ユーザは連結の方向性を気にすることなく、水平方向の連結を迅速簡易にすることができる。この種製品の使用者は子供なので、連結方向性がないという効果は大きい。
【００２９】
また底ケーシング部材１が仕切板５により区画されているため、道具を例えば用途別に分けることができるので、目的物の迅速発見が一層向上する。
【００３０】
さらに、道具箱と引出しの兼用が可能になるので、道具箱に詰め込んだ道具類を引出しに詰め直す手間を省くことができる。
【００３１】
また、把手１５が起伏自在であり、道具箱使用時には持ち手となり、非使用時は収納される効果があり、引出し使用時の連結部となる場合、挿入が容易となる効果がある。
【００３２】
さらにまた本実施の形態のように各ケーシング部材１、３がプラスチック製の場合、プラスチック成形物の特性として厚さが薄い程ソリや撓みを生ずるおそれがあるところ、本実施の形態においては、底ケーシング部材１にリブ２１が設けられ、かつ該リブ２１間に仕切板５が渡されるため、底ケーシング部材１に形成される収納スペースに突支い効果が生ずるので、撓み防止効果が一層向上する。
【００３３】
本願発明は上記した実施の形態に制限されるものではない。例えば、連結部３３及び切欠部３５は蓋ケーシング部材３の一の側面３２にのみ設ける場合を排除するものではない。
【００３４】
また連結部３３及び切欠部３５の形状は、底ケーシング部材１と蓋ケーシング部材３との水平的な連結を可能とする限り任意である。リブ２１の個数は任意であり、またリブ２１の形状も底ケーシング部材１と蓋ケーシング部材３との連結を可能とする限り任意である。
【産業上の利用可能性】
【００３５】
本願発明による兼用箱は学校用品として活用され、学用品を持ち運ぶ道具箱として、また学校机に収容される引出しとして使用することができる。
【符号の説明】
【００３６】
１      底ケーシング部材
３      蓋ケーシング部材
５      仕切板
１１    ケース
１２    側面
１３    把手ボス部
１４    側面
１５    把手
１６ａ  側面
１６ｂ  側面
１７    凹部
１９    ストッパ受け
２１    リブ
２３    挟持スペース
３１    ケース
３２    側面
３３    連結部
３５    切欠部
３６ａ  側面
３６ｂ  側面
３７    凹部
３９    ストッパ
【図１】
2015020751.tif 000003
【図２】
2015020751.tif 000004
【図３】
2015020751.tif 000005
【図４】
2015020751.tif 000006